(57)【要約】      （修正有）【課題】表面に立体的・躍動的な変化を表現する連続パネル構造体を提供する。また、立体的・躍動的な変化に加え、環境に優しく、自然・癒し・森林浴などの感情が醸成される連続パネル構造体を提供する。【解決手段】複数の木製パネル１１〜１５と複数の桟木２１〜２５とから構成されている。複数の木製パネルは、目的とする立体的・躍動的な変化を表面に有する構造体を複数の断面に分割し、各断面の形状を再現するように作製される。複数の桟木は、複数の木製パネルと交差するように配され、当該複数の木製パネルを一定又は変化する間隔を介して各パネル面を略平行に配して連結させる。複数の木製パネルと複数の桟木とが連結した構造体の表面には、目的とする立体的・躍動的な変化が再現されている。【選択図】図３
0003233371.tif 000002
【実用新案登録請求の範囲】
【請求項１】
壁面に立体的・躍動的な変化を表現する連続パネル構造体であって、
複数の木製パネルと、これら複数の木製パネルを連結する複数の桟木とから構成され、
前記複数の木製パネルは、目的とする立体的・躍動的な変化を表面に有する構造体を構想し、当該構造体を一定又は変化する間隔を介する複数の断面に分割して、各断面の形状を再現するように作製され、
前記複数の桟木は、前記複数の木製パネルと交差するように配され、当該複数の木製パネルを前記一定又は変化する間隔を介して各パネル面を略平行に配して連結させ、
前記複数の木製パネルと前記複数の桟木とが連結した構造体の表面には、前記目的とする立体的・躍動的な変化が再現されていることを特徴とする連続パネル構造体。
【請求項２】
前記目的とする立体的・躍動的な変化を表面に有する構造体は、トンネル形状を有する構造体であって、
前記複数の木製パネルは、前記構造体をトンネルの進行方向に交差する方向に分割する複数のアーチ状の断面形状を再現するように作製され、
前記複数のアーチ状の断面形状の木製パネルと前記複数の桟木とが連結した構造体は、前記トンネル形状を再現すると共に、当該構造体の外壁やトンネルの内壁の一部又は全体に前記目的とする立体的・躍動的な変化が再現されていることを特徴とする請求項１に記載の連続パネル構造体。
【請求項３】
前記複数の木製パネルは、スギ材等の単板・合板・集成材などから作製されて木肌色を有し、必要により備えられた自然な照明機構や送風機構により、各木製パネルの間を介して光と風が通過することにより、
前記目的とする立体的・躍動的な変化に加え、自然・癒し・森林浴などの感情が醸成されることを特徴とする請求項１又は２に記載の連続パネル構造体。
【考案の詳細な説明】
【技術分野】
【０００１】
本考案は、表面に立体的・躍動的な変化を表現する連続パネル構造体に関するものである。
【背景技術】
【０００２】
建物において、外部からの目線や日光、風雨などを一定に遮ることを目的としてルーバー（面格子）が使用されている。ルーバーとは、羽板と呼ばれる細長い板を平行に複数枚並べたものであり、柵や塀などとして、或いは、照明器具やエアコンなど隠すことなど、さまざまな箇所で用いられている。
【０００３】
従来のルーバーは単調なものであったが、これに意匠性を加味した装飾ルーバーも使用されている。例えば、建物の景観保護のため屋上設備や屋外階段を建物と一体化したデザインにするためにも利用される。
【０００４】
一方、室内に装飾ルーバーを利用した構造物を配置して、室内空間の一部を仕切ることによりプライベートな半個室のような空間を実現するもできる。例えば、下記特許文献１においては、木製ルーバーを使用した住宅室内用構造体が提案されている。
【先行技術文献】
【特許文献】
【０００５】
【特許文献１】特開２０１７−０７１９９９号公報
【考案の概要】
【考案が解決しようとする課題】
【０００６】
しかし、屋外や屋内に使用される装飾ルーバーや上記特許文献１に係る住宅室内用構造体においても、いずれも意匠性を加味されているとはいえ平面的で立体的な装飾性や躍動的な表現に乏しいものであった。
【０００７】
そこで、本考案は、単調な形状の羽板を並べるのではなく、形状に変化を持つパネルを並べることにより、表面に立体的・躍動的な変化を表現する連続パネル構造体を提供することを目的とする。また、本考案は、スギ材などを使用した木製パネルを使用することにより、立体的・躍動的な変化に加え、環境に優しく、自然・癒し・森林浴などの感情が醸成される連続パネル構造体を提供することを目的とする。
【課題を解決するための手段】
【０００８】
上記課題の解決にあたり、本考案者は、鋭意研究の結果、目的とする壁面に表面変化のある形状を構想した。次に、これを壁面に垂直な方向の複数の断面に分割し、各断面の形状に合わせた木製パネルを作成した。その結果、これらの木製パネルを組み合わせることにより、上記目的を達成できることを見出し本考案の完成に至った。
【０００９】
即ち、本考案に係る連続パネル構造体は、請求項１の記載によると、
壁面（３０，４０，５０，６０）に立体的・躍動的な変化を表現する連続パネル構造体（１０）であって、
複数の木製パネル（１１〜１５）と、これら複数の木製パネルを連結する複数の桟木（２１〜２５）とから構成され、
前記複数の木製パネルは、目的とする立体的・躍動的な変化を表面に有する構造体を構想し、当該構造体を一定又は変化する間隔を介する複数の断面に分割して、各断面の形状を再現するように作製され、
前記複数の桟木は、前記複数の木製パネルと交差するように配され、当該複数の木製パネルを前記一定又は変化する間隔を介して各パネル面を略平行に配して連結させ、
前記複数の木製パネルと前記複数の桟木とが連結した構造体の表面には、前記目的とする立体的・躍動的な変化が再現されていることを特徴とする。
【００１０】
また、本考案は、請求項２の記載によると、請求項１に記載の連続パネル構造体であって、
前記目的とする立体的・躍動的な変化を表面に有する構造体は、トンネル形状を有する構造体であって、
前記複数の木製パネルは、前記構造体をトンネルの進行方向に交差する方向に分割する複数のアーチ状の断面形状を再現するように作製され、
前記複数のアーチ状の断面形状の木製パネルと前記複数の桟木とが連結した構造体は、前記トンネル形状を再現すると共に、当該構造体の外壁やトンネルの内壁の一部又は全体に前記目的とする立体的・躍動的な変化が再現されていることを特徴とする。
【００１１】
また、本考案は、請求項３の記載によると、請求項１又は２に記載の連続パネル構造体であって、
前記複数の木製パネルは、スギ材等の単板・合板・集成材などから作製されて木肌色を有し、必要により備えられた自然な照明機構や送風機構により、各木製パネルの間を介して光と風が通過することにより、
前記目的とする立体的・躍動的な変化に加え、自然・癒し・森林浴などの感情が醸成されることを特徴とする。
【００１２】
なお、上記各手段の括弧内の符号は、後述する実施形態に記載の具体的手段との対応関係を示す。
【考案の効果】
【００１３】
上記構成によれば、本考案に係る連続パネル構造体は、複数の木製パネルと、これら複数の木製パネルを連結する複数の桟木とから構成されている。まず、目的とする立体的・躍動的な変化を表面に有する構造体を構想し、当該構造体を一定又は変化する間隔を介する複数の断面に分割する。そして、各断面の形状を再現するように複数の木製パネルを作製する。
【００１４】
一方、複数の桟木は、複数の木製パネルと交差するように配され、当該複数の木製パネルを一定又は変化する間隔を介して各パネル面を略平行に配して連結させる。よって、複数の木製パネルと複数の桟木とが連結した構造体の表面には、目的とする立体的・躍動的な変化が再現されている。
【００１５】
このことにより、単調な形状の羽板を並べるのではなく、形状に変化を持つパネルを並べることにより、表面に立体的・躍動的な変化を表現する連続パネル構造体を提供することができる。
【００１６】
また、上記構成によれば、目的とする立体的・躍動的な変化を表面に有する構造体は、トンネル形状を有する構造体であってもよい。ここで、複数の木製パネルは、構造体をトンネルの進行方向に交差する方向に分割する複数のアーチ状の断面形状を再現するように作製される。よって、複数のアーチ状の断面形状の木製パネルと複数の桟木とが連結した構造体は、トンネル形状を再現すると共に、当該構造体の外壁やトンネルの内壁の一部又は全体に目的とする立体的・躍動的な変化が再現されている。このことにより、上記作用効果をより具体的に且つ効果的に発揮することができる。
【００１７】
また、上記構成によれば、複数の木製パネルは、スギ材等の単板・合板・集成材などから作製されて木肌色を有していてもよい。また、必要により備えられた自然な照明機構や送風機構により、各木製パネルの間を介して光と風が通過する。よって、目的とする立体的・躍動的な変化に加え、自然・癒し・森林浴などの感情が醸成される。
【００１８】
このことにより、立体的・躍動的な変化に加え、環境に優しく、自然・癒し・森林浴などの感情が醸成される連続パネル構造体を提供することができる。
【図面の簡単な説明】
【００１９】
【図１】本実施形態に係る連続パネル構造体の製造工程を示す工程図である。
【図２】本実施形態に係る連続パネル構造体の組み立てイメージを示す斜視図である。
【図３】図２の連続パネル構造体の組み立て後の構造を示す側面図である。
【図４】図２の連続パネル構造体の内部イメージを示す正面図である。
【図５】実際に組み立てた連続パネル構造体を斜視方向から撮影した写真である。
【図６】図５の連続パネル構造体の内部を正面方向から撮影した写真である。
【図７】図５の連続パネル構造体の一方の内壁面を斜視方向から撮影した写真である。
【図８】図５の連続パネル構造体の他方の内壁面を斜視方向から撮影した写真である。
【図９】図５の連続パネル構造体の外壁面を斜視方向から撮影した写真である。
【図１０】図５の連続パネル構造体の天井部分を斜視方向から撮影した写真である。
【考案を実施するための形態】
【００２０】
本考案に係る連続パネル構造体は、主に室内の壁、天井、或いは、階段の手摺壁などの表面の装飾に用いられるものであって、それらの単調な平面に立体的・躍動的な変化を表現するものである。その場合、壁や天井などの表面に連続パネル構造体を重ね合わせてもよく、或いは、連続パネル構造体自体で壁や天井などを構成してもよい。もちろん、室内だけではなく、建物の外装や外壁などの装飾に使用してもよい。
【００２１】
一方、連続パネル構造体を室内に配置してパーテーションや半個室のような小空間として使用してもよい。更に、規模の大きな連続パネル構造体を屋外に配置する場合や、イベント会場などの構造物として使用するような場合もある。このような規模の大きな構造物としては、例えば、トンネル構造のイベント施設や迷路などの遊戯施設としても利用することができる。
【００２２】
また、本考案においては、連続パネルは、木製であることが好ましい。使用する木材としては、針葉樹や広葉樹などいずれであってもよく、例えば、スギ、ヒノキ、マツ、ラジアータパインなどどのようなものであってもよい。これらスギ材等の単板・合板・集成材などを利用した木製パネルを使用する。木製パネルを使用して木肌色を表現することによりその壁面や空間での癒し効果などを感じることができる。
【００２３】
また、木製パネルに国産スギ材などを利用することにより、国内の荒廃した森林を整備し、新たな植林や森林の生態系の保護にも寄与することができる。更に、山を守ることにより、二酸化炭素の吸収を促し、木材を利用することにより二酸化炭素の固定化にも貢献できる。
【００２４】
以下、本考案に係る連続パネル構造体を実施形態により説明する。ここでは、規模の大きな連続パネル構造体として、イベント会場などで使用されるトンネル形状を有する構造体を例にして説明する。なお、本考案は、下記の実施形態にのみ限定されるものではない。
【００２５】
本実施形態に係る連続パネル構造体は、複数の木製パネルと、これら複数の木製パネルを連結する複数の桟木とから構成されている。以下、本実施形態に係る連続パネル構造体を製造工程により説明する。
【００２６】
図１は、本実施形態に係る連続パネル構造体の製造工程を示す工程図である。まず、工程Ｓ１において、壁面に立体的・躍動的な変化を表現する形状を構想する。具体的には、デザイナーによるイメージ画などであってもよい。或いは、２Ｄ−ＣＡＤなどを用いたイメージ図面などであってもよい。構造体の表面の立体的・躍動的な変化を表現するものであればよい。
【００２７】
次に、工程Ｓ２において、３Ｄ画像プログラムを用いてイメージ画又はイメージ図面などを３Ｄデータ（３Ｄ−ＣＡＤ図面）に変換する。次に、工程Ｓ３において、３Ｄデータから構造物を複数の断面に分割する。このとき、各断面の間隔は、一定であってもよく、或いは、パネル間によって変化するものであってもよい。一定の間隔或いは変化する間隔によって、構造物の壁面に立体的・躍動的な変化を与えるようにする。
【００２８】
次に、工程Ｓ４において、３Ｄプリンターで縮小モデルを作成して、目的としたイメージが再現されているかを確認する。なお、工程Ｓ４は、省略するようにしてもよい。工程Ｓ４で表面の立体的・躍動的な変化のイメージを確認すれば、次に実際のパネルの作製に取り掛かる。
【００２９】
次に、工程Ｓ５において、各パネルのデータから木材NＣ加工機などを使用して、所定の厚みを有するスギ材の合板から、形状の異なる複数の木製パネルを切り出す。なお、本実施形態においては、作製する連続パネル構造体が大型であることから厚み２４ｍｍのスギ材の合板を使用したが、作製する構造物の大きさや種類により使用する板材の種類や厚みを適宜選定すればよい。また、本実施形態では、ＮＣルーターを使用したマシン制御を行って木製パネルを作製したが、切断装置などはこれに限定するものではない。
【００３０】
次に、工程Ｓ６において、切り出した複数の木製パネルを組み立てて連続パネル構造体を作製する。なお、本実施形態に係る連続パネル構造体はトンネル形状を有しているので、各木製パネルは、それぞれ断面形状が変化したアーチ状の構造を有している。
【００３１】
図２は、本実施形態に係る連続パネル構造体の組み立てイメージを示す斜視図である。図２において、連続パネル構造体１０は、複数の木製パネル１１〜１５を所定の間隔をおいて略平行に配置している。なお、図２においては、６枚目以降の木製パネルは図示せずに省略した。また、図２においては、複数の木製パネル１１〜１５を連結する複数の桟木を記載せずに省略した。
【００３２】
図２において、連続パネル構造体１０の内壁面３０を構成する各木製パネル１１〜１５の断面形状が変化に富んでいることから、内壁面３０に立体的・躍動的な変化を表現している。同様に、外壁面６０を構成する各木製パネル１１〜１５の断面形状が変化に富んでいることから、外壁面６０にも立体的・躍動的な変化を表現している。内壁面３０及び外壁面６０の立体的・躍動的な変化については、具体的に後述する。
【００３３】
図３は、連続パネル構造体の組み立て後の構造を示す側面図である。図３において、連続パネル構造体１０は、床面Ｇに載置されており、複数の木製パネル１１〜１５（１６以降の符号は省略）は、床面Ｇに垂直方向に等間隔に配置されている。これら複数の木製パネル１１〜１５は、複数の桟木２１〜２５（図示５本であるが、図の背面にも同様に配置）により連結されている。
【００３４】
本実施形態においては、作製する連続パネル構造体が大型であり木製パネルの枚数が多いことから、各桟木２１〜２５として３０ｍｍ×４０ｍｍの長尺のスギ材を使用した。なお、桟木についても、作製する構造物の大きさや種類により使用する桟木の種類や太さを適宜選定すればよい。
【００３５】
各木製パネルと各桟木との結合は、特に限定するものではなく、どのような方法で行ってもよい。例えば、それぞれに凹部を形成して互いの凹部が嵌合するようにしてもよい。また、釘、ネジ釘、ボルトナットなどで固定するようにしてもよい。これらの結合を容易に解除できるようにすれば、組み立てと解体が容易になりイベント用の構造物として有効である。
【００３６】
このようにして、本実施形態のトンネル形状を有する連続パネル構造体を組み立てた。図４は、連続パネル構造体の内部イメージを示す正面図である。トンネルの内部には、断面形状が連続的に変化したアーチ状の複数の木製パネルが等間隔にパネル面を平行にして配置され、一方の内壁面３０、他方の内壁面４０、及び、天井壁面５０を形成している。
【００３７】
図４には示していないが、各木製パネルはスギ材の木肌色を有しており、各木製パネルの間から暖色系のＬＥＤ照明でトンネル内が照らされ、各木製パネルの間から爽やかな風がトンネル内に吹き込むように送風機が配されている。これらのことにより、トンネル内にいる人達は、立体的・躍動的な壁面の変化と、自然・癒し・森林浴などの感情を覚えることができ、イベント構造物として効果を発揮することができる。
【００３８】
ここで、本実施形態において具体的に組み立てたトンネル形状を有する連続パネル構造体の壁面や天井壁面の立体的・躍動的な変化を示す。なお、各形状を図示しても立体的・躍動的な変化を詳細に伝えることが難しいと考え、一連の図面代替写真で写実的に示すことにする。なお、これらの写真に示した連続パネル構造体は、４８枚のアーチ状木製パネルからなる、高さ２．７ｍ、幅３ｍ、奥行き６ｍのトンネル形状の構造体である。
【００３９】
図５は、実際に組み立てた連続パネル構造体を斜視方向から撮影した写真である。異なる形状をしたアーチ状の木製パネルがパネル面を平行にして配置されていることが分かる。図６は、連続パネル構造体の内部を正面方向から撮影した写真である。図４で示した内部イメージがより具体的になって、内壁面３０、４０及び天井壁面５０の立体的・躍動的な壁面の変化がよく分かる。
【００４０】
図７は、連続パネル構造体の一方の内壁面３０を斜視方向から撮影した写真である。図８は、連続パネル構造体の他方の内壁面４０を斜視方向から撮影した写真である。また、図９は、連続パネル構造体の外壁面を斜視方向から撮影した写真である。図１０は、連続パネル構造体の天井部分を斜視方向から撮影した写真である。これらの写真から、トンネル内の各壁面や天井壁面、外壁面の立体的・躍動的な変化がよく分かる。
【００４１】
以上説明したように、本考案によれば、単調な形状の羽板を並べるのではなく、形状に変化を持つパネルを並べることにより、表面に立体的・躍動的な変化を表現する連続パネル構造体を提供することができる。また、本考案によれば、スギ材などを使用した木製パネルを使用することにより、立体的・躍動的な変化に加え、環境に優しく、自然・癒し・森林浴などの感情が醸成される連続パネル構造体を提供することができる。
【００４２】
なお、本考案の実施にあたり、上記実施形態に限らず次のような種々の変形例が挙げられる。
（１）上記実施形態においては、トンネル形状を有する連続パネル構造体について説明した。しかし、本考案は、これに限定するものではなく、室内の壁、天井、或いは、階段の手摺壁などの表面の装飾に用いられるものであってもよい。また、建物の外装や外壁などの装飾に用いられるものであってもよい。
（２）上記実施形態においては、連続パネル構造体を構成する木質パネルの材質としてスギ材の合板を使用した。しかし、本考案は、これに限定するものではなく、スギ以外の木材や、合板以外の単板、集成材などを使用するものであってもよい。
【符号の説明】
【００４３】
１０…連続パネル構造体、１１〜１５…木製パネル、２１〜２５…桟木、
３０，４０…内壁面、５０…天井壁面、６０…外壁面、
Ｇ…床面、Ｓ１〜Ｓ６…工程。
【図１】
0003233371.tif 000003
【図２】
0003233371.tif 000004
【図３】
0003233371.tif 000005
【図４】
0003233371.tif 000006
【図５】
0003233371.tif 000007
【図６】
0003233371.tif 000008
【図７】
0003233371.tif 000009
【図８】
0003233371.tif 000010
【図９】
0003233371.tif 000011
【図１０】
0003233371.tif 000012